(57)【要約】【課題】テレワーカーがＰＣの前にいるかいないかに関わらず、テレワーカーの状況を把握できる技術を提供する。【解決手段】電気機器（３０）から、電気機器の動作状態を示す動作情報を取得する情報取得部（１２２）と、情報取得部が取得した動作情報を参照し、ユーザが仕事中であるか否かを示すプレゼンス情報を管理する管理部（１２３）と、を備える遠隔管理装置（１０）。【選択図】図２
2016001385.tif 000002
【特許請求の範囲】
【請求項１】
電気機器から、当該電気機器の動作状態を示す動作情報を取得する動作情報取得手段と、
上記動作情報取得手段が取得した動作情報を参照し、ユーザが仕事中であるか否かを示すプレゼンス情報を管理する管理手段と、を備えることを特徴とする遠隔管理装置。
【請求項２】
上記動作情報取得手段が動作情報を取得する仕事モードと、上記動作情報取得手段が動作情報を取得しないプライベートモードとを有することを特徴とする請求項１に記載の遠隔管理装置。
【請求項３】
上記プレゼンス情報を参照し、上記電気機器または他の電気機器を動作させる指示を示す動作指示情報を生成する動作指示情報生成手段と、
上記動作指示情報生成手段が生成した動作指示情報を出力する動作指示情報出力手段と、を備えることを特徴とする請求項１または２に記載の遠隔管理装置。
【請求項４】
電気機器から、当該電気機器の動作状態を示す動作情報を取得する動作情報取得工程と、
上記動作情報取得工程において取得した動作情報を参照し、ユーザが仕事中であるか否かを示すプレゼンス情報を管理する管理工程と、を含むことを特徴とする遠隔管理方法。
【請求項５】
遠隔管理装置としてコンピュータを機能させるための制御プログラムであって、上記コンピュータを、
電気機器から、当該電気機器の動作状態を示す動作情報を取得する動作情報取得手段と、
上記動作情報取得手段が取得した動作情報を参照し、ユーザが仕事中であるか否かを示すプレゼンス情報を管理する管理手段と、として機能させるための制御プログラム。
【請求項６】
ユーザが仕事中であるか否かを示すプレゼンス情報であって、電気機器の動作状態を示す動作情報を参照して生成されるプレゼンス情報を参照して生成される動作指示情報を取得する動作指示情報取得手段と、
上記動作指示情報取得手段が取得した動作指示情報が示す指示を実行する指示実行手段と、を備えることを特徴とする電気機器。
【請求項７】
上記指示実行手段が上記動作指示情報が示す指示を実行したことを示す指示実行情報を出力する指示実行情報出力手段を備えることを特徴とする請求項６に記載の電気機器。
【請求項８】
上記動作指示情報が自機の周辺の状況を示す周辺状況情報を取得する動作を示す場合、上記指示実行手段は、上記周辺状況情報を取得することを特徴とする請求項６または７に記載の電気機器。
【請求項９】
上記ユーザに報知する内容を示す報知内容情報を取得する報知内容取得手段と、
上記報知内容取得手段が取得した報知内容情報が示す報知内容を報知する報知手段と、を備えることを特徴とする請求項６〜８の何れか１項に記載の電気機器。
【請求項１０】
電気機器としてコンピュータを機能させるための制御プログラムであって、上記コンピュータを、
ユーザが仕事中であるか否かを示すプレゼンス情報であって、電気機器の動作状態を示す動作情報を参照して生成されるプレゼンス情報を参照して生成される動作指示情報を取得する動作指示情報取得手段と、
上記動作指示情報取得手段が取得した動作指示情報が示す指示を実行する指示実行手段と、
上記指示実行手段が上記動作指示情報が示す指示を実行したことを示す指示実行情報を出力する指示実行情報出力手段と、として機能させるための制御プログラム。
【請求項１１】
第１の電気機器と遠隔管理装置とを備える遠隔管理システムであって、
上記第１の電気機器は、当該第１の電気機器の動作状態を示す第１の動作情報を出力する第１の動作情報出力手段を備え、
上記遠隔管理装置は、
上記第１の電気機器から、上記第１の動作情報を取得する第１の動作情報取得手段と、
上記第１の動作情報取得手段が取得した第１の動作情報を参照し、ユーザが仕事中であるか否かを示すプレゼンス情報を管理する管理手段と、を備えることを特徴とする遠隔管理システム。
【請求項１２】
上記遠隔管理システムは、複数の第２の電気機器をさらに備え、
上記第２の電気機器は、当該第２の電気機器の動作を示す動作情報を出力する第２の動作情報出力手段を備え、
上記遠隔管理装置は、上記複数の第２の電気機器のそれぞれから上記動作情報を取得する第２の動作情報取得手段をさらに備え、
上記管理手段は、上記第２の動作情報取得手段が取得した第２の動作情報のうち、少なくとも２つの第２の電気機器から取得した動作情報を参照し、上記プレゼンス情報を管理することを特徴とする請求項１１に記載の遠隔管理システム。
【請求項１３】
上記遠隔管理システムは、第３の電気機器をさらに備え、
上記遠隔管理装置は、
上記プレゼンス情報を参照し、上記第３の電気機器に対する動作の指示を示す動作指示情報を生成する動作指示情報生成手段と、
上記動作指示情報生成手段が生成した動作指示情報を出力する動作指示情報出力手段と、をさらに備え、
上記第３の電気機器は、
上記遠隔管理装置から上記動作指示情報を取得する動作指示情報取得手段と、
上記動作指示情報取得手段が取得した動作指示情報が示す動作を実行する指示実行手段と、を備えることを特徴とする請求項１１または１２に記載の遠隔管理システム。
【発明の詳細な説明】
【技術分野】
【０００１】
本発明はテレワーカーを管理するための遠隔管理装置、遠隔管理方法、当該遠隔管理装置と電気機器とを備えた遠隔管理システム、当該電気機器、当該遠隔管理装置の制御プログラム、および当該電気機器の制御プログラムに関する。
【背景技術】
【０００２】
近年、従業員が自宅またはサテライトオフィスといった、通常の勤務先とは別の場所において業務を行うテレワークに関する技術が開示されている。
【０００３】
例えば、特許文献１には、在宅勤務者がリモートアクセスによって社内ネットワークに接続し、業務の遂行に際し必要となる情報入手や各種手続きを、Ｗｅｂやグループウェアを用いて実施し、社外に社内と同様の作業環境を得る在宅勤務方法が開示されている。
【０００４】
また、非特許文献１には、ユーザのＰＣ（Personal Computer）の操作状況を参照してユーザの状態を示すプレゼンス状態を設定し、プレゼンス状態を他のユーザに表示するシステムが開示されている。
【先行技術文献】
【特許文献】
【０００５】
【特許文献１】特開２００２−１５７３９０号公報（２００２年５月３１日公開）
【非特許文献】
【０００６】
【非特許文献１】日本マイクロソフト株式会社、”Lyncでプレゼンス状態を変更する”、［online］、２０１４年６月１０日検索、インターネット（URL:http://office.microsoft.com/ja-jp/lync-help/HA102925443.aspx）
【発明の概要】
【発明が解決しようとする課題】
【０００７】
しかしながら、上述の特許文献１では、社内にいる従業員は、社外において業務を行っているテレワーカーが今何をしているのかを把握できないという問題があった。
【０００８】
一方、上述の非特許文献１では、社内にいる従業員は、テレワーカーが今何をしているのかを把握することはできるが、当該システムを利用できるのは、テレワーカーが常時ＰＣを操作して業務を行う場合に限られてしまうという問題があった。
【０００９】
本発明は上記問題に鑑みてなされたものであり、その目的は、テレワーカーがＰＣの前にいるかいないかに関わらず、テレワーカーの状況を把握できる技術を提供することにある。
【課題を解決するための手段】
【００１０】
上記の課題を解決するために、本発明の一態様に係る遠隔管理装置は、電気機器から、当該電気機器の動作状態を示す動作情報を取得する動作情報取得手段と、上記動作情報取得手段が取得した動作情報を参照し、ユーザが仕事中であるか否かを示すプレゼンス情報を管理する管理手段と、を備える。
【００１１】
また、上記の課題を解決するために、本発明の一態様に係る遠隔管理方法は、電気機器から、当該電気機器の動作状態を示す動作情報を取得する動作情報取得工程と、上記動作情報取得工程において取得した動作情報を参照し、ユーザが仕事中であるか否かを示すプレゼンス情報を管理する管理工程と、を含む。
【００１２】
また、上記の課題を解決するために、本発明の一態様に係る制御プログラムは、遠隔管理装置としてコンピュータを機能させるための制御プログラムであって、上記コンピュータを、電気機器から、当該電気機器の動作状態を示す動作情報を取得する動作情報取得手段と、上記動作情報取得手段が取得した動作情報を参照し、ユーザが仕事中であるか否かを示すプレゼンス情報を管理する管理手段と、として機能させる。
【００１３】
また、上記の課題を解決するために、本発明の一態様に係る電気機器は、ユーザが仕事中であるか否かを示すプレゼンス情報であって、電気機器の動作状態を示す動作情報を参照して生成されるプレゼンス情報を参照して生成される動作指示情報を取得する動作指示情報取得手段と、上記動作指示情報取得手段が取得した動作指示情報が示す指示を実行する指示実行手段と、を備える。
【００１４】
また、上記の課題を解決するために、本発明の一態様に係る制御プログラムは、電気機器としてコンピュータを機能させるための制御プログラムであって、上記コンピュータを、ユーザが仕事中であるか否かを示すプレゼンス情報であって、電気機器の動作状態を示す動作情報を参照して生成されるプレゼンス情報を参照して生成される動作指示情報を取得する動作指示情報取得手段と、上記動作指示情報取得手段が取得した動作指示情報が示す指示を実行する指示実行手段と、上記指示実行手段が上記動作指示情報が示す指示を実行したことを示す指示実行情報を出力する指示実行情報出力手段と、として機能させる。
【００１５】
また、上記の課題を解決するために、本発明の一態様に係る遠隔管理システムは、第１の電気機器と遠隔管理装置とを備える遠隔管理システムであって、上記第１の電気機器は、当該第１の電気機器の動作状態を示す第１の動作情報を出力する第１の動作情報出力手段を備え、上記遠隔管理装置は、上記第１の電気機器から、上記第１の動作情報を取得する第１の動作情報取得手段と、上記第１の動作情報取得手段が取得した第１の動作情報を参照し、ユーザが仕事中であるか否かを示すプレゼンス情報を管理する管理手段と、を備える。
【発明の効果】
【００１６】
本発明の一態様によれば、ユーザ（テレワーカー）がＰＣの前にいるかいないかに関わらず、ユーザ（テレワーカー）の状況を把握できる。
【図面の簡単な説明】
【００１７】
【図１】本発明の実施形態１に係る遠隔管理システムを模式的に示す図である。
【図２】本発明の実施形態１における遠隔管理装置の構成を示す図であり、（ａ）は、遠隔管理装置の要部構成を示すブロック図であり、（ｂ）は、遠隔管理装置のハードウェア構成を示すブロック図である。
【図３】本発明の実施形態１におけるテレビの構成を示す図であり、（ａ）は、テレビの要部構成を示すブロック図であり、（ｂ）は、テレビのハードウェア構成を示すブロック図である。
【図４】本発明の実施形態１におけるエアコンの構成を示す図であり、（ａ）は、エアコンの要部構成を示すブロック図であり、（ｂ）は、エアコンのハードウェア構成を示すブロック図である。
【図５】本発明の実施形態１における照明の構成を示す図であり、（ａ）は、照明の要部構成を示すブロック図であり、（ｂ）は、照明のハードウェア構成を示すブロック図である。
【図６】本発明の実施形態１における自走式掃除機の構成を示す図であり、（ａ）は、自走式掃除機の要部構成を示すブロック図であり、（ｂ）は、自走式掃除機のハードウェア構成を示すブロック図である。
【図７】本発明の実施形態１における管理者端末の要部構成を示すブロック図である。
【図８】本発明の実施形態１に係る遠隔管理システムの処理の流れを示すシーケンス図である。
【図９】本発明の実施形態１における管理テーブルの例である。
【図１０】本発明の実施形態１における自走式掃除機が動作をする様子を示す図であり、（ａ）は、自走式掃除機が音声を出力する様子を示す図であり、（ｂ）は、自走式掃除機が発光する様子を示す図であり、（ｃ）は、自走式掃除機が動く様子を示す図であり、（ｄ）は、自走式掃除機が周辺を撮影する様子を示す図である。
【図１１】本発明の実施形態２に係る遠隔管理システムの処理の流れを示すシーケンス図である。
【発明を実施するための形態】
【００１８】
〔実施形態１〕
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１９】
（遠隔管理システム１の構成）
図１は、本発明の実施形態１に係る遠隔管理システム１を模式的に示す図である。遠隔管理システム１は、図１に示すように、遠隔管理装置１０、管理者端末２０、および電気機器３０によって構成されている。
【００２０】
遠隔管理システム１では、自宅において業務を行うテレワーカー（ユーザ）が仕事中であるか否かを、当該テレワーカー以外の従業員が把握することができるシステムである。より具体的には、遠隔管理装置１０は、テレワーカーの自宅に設置されている電気機器３０から、電気機器３０の動作状態を示す動作情報を取得する。そして、遠隔管理装置１０は、取得した動作情報を参照し、テレワーカーが仕事中であるか否かを示すプレゼンス情報を管理する。当該テレワーカー以外の従業員は、管理者端末２０を介して遠隔管理装置１０が管理するプレゼンス情報を参照することにより、当該テレワーカーが仕事中であるか否かを把握することができる。
【００２１】
ここで、動作情報とは、電気機器３０が動作中であるのか否か、動作中であればどのような動作を行っているのかを示す情報が含まれる。また、動作情報には、電気機器３０に設定されている設定情報、および後述する電気機器３０が備えるセンサが検出したセンサ情報も含まれる。さらに、動作情報には、当該電気機器３０がユーザから受け付けた操作を示す操作情報も含まれる。
【００２２】
なお、本明細書においては、自宅において業務を行うテレワーカーが仕事中であるか否かを、当該テレワーカー以外の従業員が把握できる例を挙げているが、本発明はこの構成に限定されない。例えば、電気機器３０が設置されている出張先、サテライトオフィス、または飲食店などにおいて業務を行うテレワーカーが仕事中であるか否かを、当該テレワーカー以外の従業員が把握できる構成であってもよい。また、当該テレワーカー以外の従業員が勤務する場所については限定されず、例えば、テレワーカーが仕事中であるか否かを、他のテレワーカーが把握する構成であってもよい。
【００２３】
また、遠隔管理システム１では、電気機器３０が動作情報を出力する仕事モードと、電気機器３０が動作情報を出力しないプライベートモードとの２つの動作モードを有している構成が好ましい。この構成により、遠隔管理システム１がプライベートモードの場合は、テレワーカーのプライバシーを守ることができる。なお、遠隔管理システム１では、電気機器３０は動作モードに関わらず動作情報を出力し、仕事モードの場合、遠隔管理装置１０が動作情報を取得し、プライベートモードの場合、遠隔管理装置１０が動作情報を取得しない構成であってもよい。また、動作モードを設定する方法は限定されず、テレワーカーが動作モードを設定する構成であってもよいし、所定の時刻になると動作モードが設定される構成であってもよいし、テレワーカーが従業員に動作モードの設定を要求し、従業員が要求された動作モードを設定する構成であってもよい。
【００２４】
また、以下の説明において、遠隔管理装置１０、管理者端末２０、および電気機器３０が備えている部材のうち、本発明に直接的に関係する部材のみについて説明している。すわなち、本明細書において説明されている部材以外の部材を、遠隔管理装置１０、管理者端末２０、および電気機器３０が備えることを排除するものではない。
【００２５】
（遠隔管理装置１０）
図２は、本発明の実施形態１における遠隔管理装置１０の構成を示す図であり、（ａ）は、遠隔管理装置１０の要部構成を示すブロック図である。遠隔管理装置１０について、図２を用いて説明する。
【００２６】
遠隔管理装置１０は、図２の（ａ）に示すように、遠隔管理装置通信部１１０および遠隔管理装置制御部１２０を備えている。
【００２７】
遠隔管理装置通信部１１０は、管理者端末２０および電気機器３０とデータの送受信をすることができる機能を備えている。
【００２８】
遠隔管理装置制御部１２０は、遠隔管理装置１０の各構成を統括的に制御するものである。遠隔管理装置制御部１２０の詳細について、以下に説明する。
【００２９】
（遠隔管理装置制御部１２０）
遠隔管理装置制御部１２０は、図２の（ａ）に示すように、モード切替部１２１、情報取得部（動作情報取得手段、第１の動作情報取得手段、第２の動作情報取得手段）１２２、管理部（管理手段）１２３、動作指示情報生成部（動作指示情報生成手段）１２４、および情報出力部（動作指示情報出力手段）１２５としても機能する。
【００３０】
モード切替部１２１は、後述する情報取得部１２２を制御し、遠隔管理装置１０の動作モードを切り替える。より具体的には、モード切替部１２１が遠隔管理装置１０を仕事モードに切り替えた場合、モード切替部１２１は、動作情報を取得するように情報取得部１２２を制御する。一方、モード切替部１２１が遠隔管理装置１０をプライベートモードに切り替えた場合、モード切替部１２１は、動作情報を取得しないように情報取得部１２２を制御する。
【００３１】
情報取得部１２２は、遠隔管理装置通信部１１０を制御し、遠隔管理装置通信部１１０が受信した情報を取得する。
【００３２】
管理部１２３は、情報取得部１２２が取得した動作情報を参照し、プレゼンス情報を管理する。管理部１２３がプレゼンス情報を管理する具体的な例として、プレゼンス情報とテレワーカーとを関連付ける、プレゼンス情報を設定する、プレゼンス情報を更新する、などが挙げられる。
【００３３】
動作指示情報生成部１２４は、管理部１２３が管理するプレゼンス情報を参照し、電気機器３０を動作させる指示を示す動作指示情報を生成する。動作指示情報の具体的な例については、参照する図面を替えて後述する。
【００３４】
情報出力部１２５は、遠隔管理装置通信部１１０を制御し、管理者端末２０または電気機器３０に情報を出力する。
【００３５】
（遠隔管理装置１０のハードウェア構成）
図２の（ｂ）は、遠隔管理装置１０のハードウェア構成を示すブロック図である。図２の（ｂ）に示すように、遠隔管理装置１０は、通信部１１００、制御部１２００、および記憶部１３００を備えている。
【００３６】
通信部１１００は、管理者端末２０および電気機器３０との通信を可能にするためのインターフェースである。通信部１１００は、上述した遠隔管理装置通信部１１０の機能を実現する。
【００３７】
記憶部１３００は、主記憶部および補助記憶部を備えている。記憶部１３００の主記憶部として利用可能なデバイスとしては、例えば、半導体ＲＡＭ（random access memory）を挙げることができる。また、記憶部１３００の補助記憶部として利用可能なデバイスとしては、例えば、ハードディスクドライブ（ＨＤＤ）を挙げることができ、補助記憶部には、遠隔管理装置１０として動作させるための制御プログラムが保存されている。制御プログラムは、遠隔管理装置制御部１２０の機能を実現するためのプログラムである。
【００３８】
制御部１２００は、記憶部１３００の主記憶上に制御プログラムを展開し、展開された制御プログラムに含まれる各種の命令を実行することによって、上述した遠隔管理装置制御部１２０の機能を実現する。制御部１２００として利用可能なデバイスとしては、ＣＰＵ（Central Processing Unit）を挙げることができる。
【００３９】
（電気機器３０）
電気機器３０は、テレワーカーの自宅に設置されている電気機器のうち、以下の（条件１）及び（条件２）を満たす電気機器の総称である。
【００４０】
（条件１）業務を行うために操作する電気機器以外の電気機器
（条件２）ユーザが一度設置するとほとんど動かさない据え置き型の電気機器
上記の全ての条件を満たす電気機器として、例えば、テレビ、エアコン、照明、洗濯機、電子レンジなどが挙げられる。また、据え置き型の電気機器には、ユーザは動かさないが、自ら動く自走式掃除機や自走式ロボットも含まれる。また、電気機器３０は家電に限らず、主にオフィスや店舗において使用される電気機器（例えば、複合機、業務用エアコン）も含まれる。一方、電気機器３０に含まれない電気機器として、例えば、業務において常時ＰＣを操作する業務の場合のＰＣ、携帯可能なスマートフォン、タブレットＰＣなどが挙げられる。
【００４１】
また、本発明において、電気機器３０のうち、ユーザの居場所を特定することができる動作情報（第１の動作情報）を出力可能な電気機器を、第１の電気機器と称する。第１の動作情報の例として、人感センサが検出したセンサ情報や、ユーザから受け付けた操作を示す操作情報を挙げることができる。
【００４２】
また、ユーザの居場所を特定できる動作情報ではないが、他の情報と共に参照することにより、ユーザの居場所を特定できる動作情報（第２の動作情報）を出力可能な電気機器を、第２の電気機器と称する。第２の動作情報の例として、動作中であることを示す情報や、電気機器３０に設定されている設定情報を挙げることができる。
【００４３】
また、上述した動作指示情報が示す動作を実行可能な電気機器を、第３の電気機器と称する。第３の電気機器はさらに、テレワーカーと管理者端末２０のユーザとのインターフェースとして機能してもよい。例えば、第３の電気機器は、管理者端末２０のユーザがテレワーカーに対して報知する内容を示す報知内容情報を管理者端末２０から取得し、取得した報知内容情報が示す報知内容を報知する構成であってもよい。
【００４４】
本明細書においては、電気機器３０の例として、図１に示すように、テレビ３００、エアコン４００、照明５００、および自走式掃除機６００を挙げて説明する。また、本明細書においては、主にテレビ３００を第１の電気機器、エアコン４００および照明５００を第２の電気機器、自走式掃除機６００を第３の電気機器とするが、本発明はこれに限定されず、上述した条件を満たす電気機器であれば、何れの電気機器も第１の電気機器、第２の電気機器、および第３の電気機器として動作する。
【００４５】
（テレビ３００）
図３は、本発明の実施形態１におけるテレビ３００の構成を示す図であり、（ａ）は、テレビ３００の要部構成を示すブロック図である。テレビ（第１の電気機器）３００について、図３を用いて説明する。
【００４６】
テレビ３００は、図３の（ａ）に示すように、テレビ通信部３１０、テレビ制御部３２０、音声出力部３３０、表示部３４０、操作部３５０、およびセンサ部３６０を備えている。
【００４７】
テレビ通信部３１０は、遠隔管理装置１０、管理者端末２０、および他の電気機器３０と情報を送受信することができる機能を備えている。
【００４８】
音声出力部３３０は、テレビ制御部３２０から出力される音声信号が示す音を出力する機能を備えている。
【００４９】
表示部３４０は、テレビ制御部３２０から出力される画像信号が示す画像を出力する機能を備えている。
【００５０】
操作部３５０は、ユーザからの操作を受け付け、受け付けた操作を示す操作情報を出力する機能を備えている。
【００５１】
センサ部３６０は、周囲の様々な変化を検知し、検知した周囲の様々な変化を示すセンサ情報を出力する機能を備えている。センサ部３６０が検知する対象は、光や音、温度などの物理量であるが、これに限らず、力や磁気といった物理量、および物質成分、濃度といった化学量を検知しても構わない。
【００５２】
テレビ制御部３２０は、テレビ３００の各構成を統括的に制御するものである。テレビ制御部３２０の詳細について、以下に説明する。
【００５３】
（テレビ制御部３２０）
テレビ制御部３２０は、図３の（ａ）に示すように、情報取得部（動作指示情報取得手段、報知内容取得手段）３２１、処理実行部（指示実行手段、報知手段）３２２、操作受付部３２３、センサ情報取得部３２４、モード切替部３２５、および情報出力部（指示実行情報出力手段、第１の動作情報出力手段）３２６としても機能する。
【００５４】
情報取得部３２１は、テレビ通信部３１０を制御し、テレビ通信部３１０が受信した情報を取得する。
【００５５】
処理実行部３２２は、取得した情報が示す処理を実行するため、音声出力部３３０および表示部３４０を制御する。また、処理実行部３２２は、取得した情報が示す処理を実行したことを示す指示実行情報を出力する。
【００５６】
操作受付部３２３は、操作部３５０から出力された操作情報を取得する。
【００５７】
センサ情報取得部３２４は、センサ部３６０から出力されたセンサ情報を取得する。センサ情報取得部３２４がセンサ情報を取得するタイミングは、所定の時間間隔でセンサ情報を取得する構成であってもよいし、ユーザからセンサ情報を取得する旨を示す操作を受け付けたときにセンサ情報を取得する構成であってもよい。
【００５８】
モード切替部３２５は、後述する情報出力部３２６を制御し、テレビ３００の動作モードを切り替える。より具体的には、モード切替部３２５がテレビ３００を仕事モードに切り替えた場合、モード切替部３２５は、動作情報を出力するように情報出力部３２６を制御する。一方、モード切替部３２５がテレビ３００をプライベートモードに切り替えた場合、モード切替部３２５は、動作情報を出力しないように情報出力部３２６を制御する。なお、後述するエアコン４００のモード切替部４２５、照明５００のモード切替部５２５、および自走式掃除機６００のモード切替部６２５も、テレビ３００のモード切替部３２５と同様の機能を備えるため、具体的な説明は省略する。
【００５９】
情報出力部３２６は、テレビ通信部３１０を制御し、遠隔管理装置１０、管理者端末２０、および他の電気機器３０の少なくとも何れかに情報を出力する。
【００６０】
（テレビ３００のハードウェア構成）
図３の（ｂ）は、テレビ３００のハードウェア構成を示すブロック図である。図３の（ｂ）に示すように、テレビ３００は、通信部３１００、制御部３２００、音声出力部３３００、表示部３４００、操作部３５００、センサ部３６００、および記憶部３７００を備えている。
【００６１】
通信部３１００は、遠隔管理装置１０、管理者端末２０、および他の電気機器３０との通信を可能にするためのインターフェースである。通信部３１００は、上述したテレビ通信部３１０の機能を実現する。
【００６２】
記憶部３７００は、主記憶部および補助記憶部を備えている。記憶部３７００の主記憶部として利用可能なデバイスとしては、例えば、半導体ＲＡＭ（random access memory）を挙げることができる。また、記憶部３７００の補助記憶部として利用可能なデバイスとしては、例えば、ハードディスクドライブ（ＨＤＤ）を挙げることができ、補助記憶部には、テレビ３００として動作させるための制御プログラムが保存されている。制御プログラムは、テレビ制御部３２０の機能を実現するためのプログラムである。
【００６３】
制御部３２００は、記憶部３７００の主記憶上に制御プログラムを展開し、展開された制御プログラムに含まれる各種の命令を実行することによって、上述したテレビ制御部３２０の機能を実現する。制御部３２００として利用可能なデバイスとしては、ＣＰＵ（Central Processing Unit）を挙げることができる。
【００６４】
音声出力部３３００は、入力された音声信号が示す音を出力するデバイスであり、例えばスピーカ、イヤホンが挙げられる。音声出力部３３００は、上述した音声出力部３３０の機能を実現する。
【００６５】
表示部３４００は、入力された画像信号が示す画像を表示するデバイスであり、例えば、バックライトを有した透過型の液晶パネル、有機ＥＬディスプレイが挙げられる。表示部３４００は、上述した表示部３４０の機能を実現する。
【００６６】
操作部３５００は、ユーザからの操作を受け付けるユーザインターフェースであり、例えばスイッチ、ハードキーが挙げられる。また、テレビ３００とは別体であるが操作部３５００の例として、リモートコントローラも挙げられる。操作部３５００は、上述した操作部３５０の機能を実現する。
【００６７】
センサ部３６００は、周囲の様々な変化を検知して定量化するものであり、例えば、人感センサ、温度センサ、湿度センサなどが挙げられる。センサ部３６００は、上述したセンサ部３６０の機能を実現する。
【００６８】
（エアコン４００）
図４は、本発明の実施形態１におけるエアコン４００の構成を示す図であり、（ａ）は、エアコン４００の要部構成を示すブロック図である。エアコン（第２の電気機器）４００について、図４を用いて説明する。
【００６９】
エアコン４００は、図４の（ａ）に示すように、エアコン通信部４１０、エアコン制御部４２０、音声出力部４３０、操作部４５０、およびセンサ部４６０を備えている。
【００７０】
エアコン通信部４１０は、遠隔管理装置１０、管理者端末２０、および他の電気機器３０と情報を送受信することができる機能を備えている。
【００７１】
音声出力部４３０は、エアコン制御部４２０から出力される音声信号が示す音を出力する機能を備えている。
【００７２】
操作部４５０は、ユーザからの操作を受け付け、受け付けた操作を示す操作情報を出力する機能を備えている。
【００７３】
センサ部４６０は、周囲の様々な変化を検知し、検知した周囲の様々な変化を示すセンサ情報を出力する機能を備えている。センサ部４６０が検知する対象は、光や音、温度などの物理量であるが、これに限らず、力や磁気といった物理量、および物質成分、濃度といった化学量を検知しても構わない。
【００７４】
エアコン制御部４２０は、エアコン４００の各構成を統括的に制御するものである。エアコン制御部４２０の詳細について、以下に説明する。
【００７５】
（エアコン制御部４２０）
エアコン制御部４２０は、図４の（ａ）に示すように、情報取得部（動作指示情報取得手段、報知内容取得手段）４２１、処理実行部（指示実行手段、報知手段）４２２、操作受付部４２３、センサ情報取得部４２４、モード切替部４２５、および情報出力部（指示実行情報出力手段、第２の動作情報出力手段）４２６としても機能する。
【００７６】
情報取得部４２１は、エアコン通信部４１０を制御し、エアコン通信部４１０が受信した情報を取得する。
【００７７】
処理実行部４２２は、取得した情報が示す処理を実行するため、音声出力部４３０を制御する。また、処理実行部４２２は、取得した情報が示す処理を実行したことを示す指示実行情報を出力する。
【００７８】
操作受付部４２３は、操作部４５０から出力された操作情報を取得する。
【００７９】
センサ情報取得部４２４は、センサ部４６０から出力されたセンサ情報を取得する。センサ情報取得部４２４がセンサ情報を取得するタイミングは、所定の時間間隔でセンサ情報を取得する構成であってもよいし、ユーザからセンサ情報を取得する旨を示す操作を受け付けたときにセンサ情報を取得する構成であってもよい。
【００８０】
モード切替部４２５は、エアコン４００の動作モードを切り替える。
【００８１】
情報出力部４２６は、エアコン通信部４１０を制御し、遠隔管理装置１０、管理者端末２０、および他の電気機器３０の少なくとも何れかに情報を出力する。
【００８２】
（エアコン４００のハードウェア構成）
図４の（ｂ）は、エアコン４００のハードウェア構成を示すブロック図である。図４の（ｂ）に示すように、エアコン４００は、通信部４１００、制御部４２００、音声出力部４３００、記憶部４４００、操作部４５００、およびセンサ部４６００を備えている。
【００８３】
通信部４１００は、遠隔管理装置１０、管理者端末２０、および他の電気機器３０との通信を可能にするためのインターフェースである。通信部４１００は、上述したエアコン通信部４１０の機能を実現する。
【００８４】
記憶部４４００は、主記憶部および補助記憶部を備えている。記憶部４４００の主記憶部として利用可能なデバイスとしては、例えば、半導体ＲＡＭ(random access memory)を挙げることができる。また、記憶部４４００の補助記憶部として利用可能なデバイスとしては、例えば、ハードディスクドライブ（ＨＤＤ）を挙げることができ、補助記憶部には、エアコン４００として動作させるための制御プログラムが保存されている。制御プログラムは、エアコン制御部４２０の機能を実現するためのプログラムである。
【００８５】
制御部４２００は、記憶部４４００の主記憶上に制御プログラムを展開し、展開された制御プログラムに含まれる各種の命令を実行することによって、上述したエアコン制御部４２０の機能を実現する。制御部４２００として利用可能なデバイスとしては、ＣＰＵ（Central Processing Unit）を挙げることができる。
【００８６】
音声出力部４３００は、入力された音声信号が示す音を出力するデバイスであり、例えばスピーカが挙げられる。音声出力部４３００は、上述した音声出力部４３０の機能を実現する。
【００８７】
操作部４５００は、ユーザからの操作を受け付けるユーザインターフェースであり、例えばスイッチ、ハードキーが挙げられる。また、エアコン４００とは別体であるが操作部４５００の例として、リモートコントローラも挙げられる。操作部４５００は、上述した操作部４５０の機能を実現する。
【００８８】
（照明５００）
図５は、本発明の実施形態１における照明５００の構成を示す図であり、（ａ）は、照明５００の要部構成を示すブロック図である。照明（第２の電気機器）５００について、図５を用いて説明する。
【００８９】
照明５００は、図５の（ａ）に示すように、照明通信部５１０、照明制御部５２０、発光部５４０、および操作部５５０を備えている。
【００９０】
照明通信部５１０は、遠隔管理装置１０、管理者端末２０、および他の電気機器３０と情報を送受信することができる機能を備えている。
【００９１】
発光部５４０は、照明制御部５２０から出力される発光信号に応じて発光する機能を備えている。
【００９２】
操作部５５０は、ユーザからの操作を受け付け、受け付けた操作を示す操作情報を出力する機能を備えている。
【００９３】
照明制御部５２０は、照明５００の各構成を統括的に制御するものである。照明制御部５２０の詳細について、以下に説明する。
【００９４】
（照明制御部５２０）
照明制御部５２０は、図５の（ａ）に示すように、情報取得部（動作指示情報取得手段、報知内容取得手段）５２１、処理実行部（指示実行手段、報知手段）５２２、操作受付部５２３、モード切替部５２５、および情報出力部（指示実行情報出力手段、第２の動作情報出力手段）５２６としても機能する。
【００９５】
情報取得部５２１は、照明通信部５１０を制御し、照明通信部５１０が受信した情報を取得する。
【００９６】
処理実行部５２２は、取得した情報が示す処理を実行するため、発光部５４０を制御する。また、処理実行部５２２は、取得した情報が示す処理を実行したことを示す指示実行情報を出力する。
【００９７】
操作受付部５２３は、操作部５５０から出力された操作情報を取得する。
【００９８】
モード切替部５２５は、後述する情報出力部５２６を制御し、照明５００お動作モードを切り替える。
【００９９】
情報出力部５２６は、照明通信部５１０を制御し、遠隔管理装置１０、管理者端末２０、および他の電気機器３０の少なくとも何れかに情報を出力する。
【０１００】
（照明５００のハードウェア構成）
図５の（ｂ）は、照明５００のハードウェア構成を示すブロック図である。図５の（ｂ）に示すように、照明５００は、通信部５１００、制御部５２００、発光部５３００、記憶部５４００、および操作部５５００を備えている。
【０１０１】
通信部５１００は、遠隔管理装置１０、管理者端末２０、および他の電気機器３０との通信を可能にするためのインターフェースである。通信部５１００は、上述した照明通信部５１０の機能を実現する。
【０１０２】
記憶部５４００は、主記憶部および補助記憶部を備えている。記憶部５４００の主記憶部として利用可能なデバイスとしては、例えば、半導体ＲＡＭ（random access memory）を挙げることができる。また、記憶部５４００の補助記憶部として利用可能なデバイスとしては、例えば、ハードディスクドライブ（ＨＤＤ）を挙げることができ、補助記憶部には、照明５００として動作させるための制御プログラムが保存されている。制御プログラムは、照明制御部５２０の機能を実現するためのプログラムである。
【０１０３】
発光部５３００は、電気信号を光に変換するデバイスであり、例えば、白熱電球、蛍光灯、ＬＥＤ（Light Emitting Diode）照明を挙げることができる。発光部５３００は、上述した発光部５４０の機能を実現する。
【０１０４】
操作部５５００は、ユーザからの操作を受け付けるユーザインターフェースであり、例えばスイッチが挙げられる。また、照明５００とは別体であるが操作部５５００の例として、リモートコントローラも挙げられる。操作部５５００は、上述した操作部５５０の機能を実現する。
【０１０５】
（自走式掃除機６００）
図６は、本発明の実施形態１における自走式掃除機６００の構成を示す図であり、（ａ）は、自走式掃除機６００の要部構成を示すブロック図である。自走式掃除機（第３の電気機器）６００について、図６を用いて説明する。
【０１０６】
自走式掃除機６００は、図６の（ａ）に示すように、自走式掃除機通信部６１０、自走式掃除機制御部６２０、音声出力部６３０、発光部６４０、操作部６５０、センサ部６６０、駆動部６７０、およびカメラ６８０を備えている。
【０１０７】
自走式掃除機通信部６１０は、遠隔管理装置１０、管理者端末２０、および他の電気機器３０と情報を送受信することができる機能を備えている。
【０１０８】
音声出力部６３０は、自走式掃除機制御部６２０から出力される音声信号が示す音を出力する機能を備えている。
【０１０９】
発光部６４０は、自走式掃除機制御部６２０から出力される発光信号に応じて発光する機能を備えている。
【０１１０】
操作部６５０は、ユーザからの操作を受け付け、受け付けた操作を示す操作情報を出力する機能を備えている。
【０１１１】
センサ部６６０は、周囲の様々な変化を検知し、検知した周囲の様々な変化を示すセンサ情報を出力する機能を備えている。センサ部６６０が検知する対象は、光や音、温度などの物理量であるが、これに限らず、力や磁気といった物理量、および物質成分、濃度といった化学量を検知しても構わない。
【０１１２】
駆動部６７０は、自走式掃除機制御部６２０から出力される駆動信号に応じて、自走式掃除機６００を駆動する。
【０１１３】
カメラ６８０は、自走式掃除機制御部６２０から出力される指示信号に応じて、自走式掃除機６００の周辺を撮影する。そして、カメラ６８０は、撮影した画像を示す画像情報を、自走式掃除機制御部６２０に出力する。
【０１１４】
自走式掃除機制御部６２０は、自走式掃除機６００の各構成を統括的に制御するものである。自走式掃除機制御部６２０の詳細について、以下に説明する。
【０１１５】
（自走式掃除機制御部６２０）
自走式掃除機６２０は、図６の（ａ）に示すように、情報取得部（動作指示情報取得手段、報知内容取得手段）６２１、処理実行部（指示実行手段、報知手段）６２２、操作受付部６２３、センサ情報取得部６２４、モード切替部６２５、および情報出力部（指示実行情報出力手段）６２６としても機能する。
【０１１６】
情報取得部６２１は、自走式掃除機通信部６１０を制御し、自走式掃除機通信部６１０が受信した情報を取得する。
【０１１７】
処理実行部６２２は、取得した情報が示す処理を実行するため、音声出力部６３０、発光部６４０、駆動部６７０、およびカメラ６８０を制御する。また、処理実行部６２２は、カメラ６８０を制御した場合、カメラ６８０から出力される画像情報を取得する。また、処理実行部６２２は、取得した情報が示す処理を実行したことを示す指示実行情報を出力する。
【０１１８】
操作受付部６２３は、操作部６５０から出力された操作情報を取得する。
【０１１９】
センサ情報取得部６２４は、センサ部６６０から出力されたセンサ情報を取得する。センサ情報取得部６２４がセンサ情報を取得するタイミングは、所定の時間間隔でセンサ情報を取得する構成であってもよいし、ユーザからセンサ情報を取得する旨を示す操作を受け付けたときにセンサ情報を取得する構成であってもよい。
【０１２０】
モード切替部６２５は、後述する情報出力部６２６を制御し、自走式掃除機６００の動作モードを切り替える。
【０１２１】
情報出力部６２６は、自走式掃除機通信部６１０を制御し、遠隔管理装置１０、管理者端末２０、および他の電気機器３０の少なくとも何れかに情報を出力する。
【０１２２】
（自走式掃除機６００のハードウェア構成）
図６の（ｂ）は、自走式掃除機６００のハードウェア構成を示すブロック図である。図６の（ｂ）に示すように、自走式掃除機６００は、通信部６１００、制御部６２００、音声出力部６３００、発光部６４００、操作部６５００、センサ部６６００、駆動部６７００、カメラ６８００、および記憶部６９００を備えている。
【０１２３】
通信部６１００は、遠隔管理装置１０、管理者端末２０、および他の電気機器３０との通信を可能にするためのインターフェースである。通信部６１００は、上述した自走式掃除機通信部６１０の機能を実現する。
【０１２４】
記憶部６９００は、主記憶部および補助記憶部を備えている。記憶部６９００の主記憶部として利用可能なデバイスとしては、例えば、半導体ＲＡＭ（random access memory）を挙げることができる。また、記憶部６９００の補助記憶部として利用可能なデバイスとしては、例えば、ハードディスクドライブ（ＨＤＤ）を挙げることができ、補助記憶部には、自走式掃除機６００として動作させるための制御プログラムが保存されている。制御プログラムは、自走式掃除機制御部６２０の機能を実現するためのプログラムである。
【０１２５】
制御部６２００は、記憶部６９００の主記憶上に制御プログラムを展開し、展開された制御プログラムに含まれる各種の命令を実行することによって、上述した自走式掃除機制御部６２０の機能を実現する。制御部６２００として利用可能なデバイスとしては、ＣＰＵ（Central Processing Unit）を挙げることができる。
【０１２６】
音声出力部６３００は、入力された音声信号が示す音を出力するデバイスであり、例えばスピーカが挙げられる。音声出力部６３００は、上述した音声出力部６３０の機能を実現する。
【０１２７】
発光部６４００は、電気信号を光に変換するデバイスであり、例えば、ＬＥＤ（Light Emitting Diode）を挙げることができる。発光部６４００は、上述した発光部６４０の機能を実現する。
【０１２８】
操作部６５００は、ユーザからの操作を受け付けるユーザインターフェースであり、例えばスイッチ、ハードキーが挙げられる。操作部６５００は、上述した操作部６５０の機能を実現する。
【０１２９】
センサ部６６００は、周囲の様々な変化を検知して定量化するものであり、例えば、人感センサ、温度センサ、湿度センサなどが挙げられる。センサ部６６００は、上述したセンサ部６６０の機能を実現する。
【０１３０】
駆動部６７００は、自走式掃除機６００を回転、移動させるため、駆動輪（不図示）を駆動させるものであり、モータドライバおよび駆動輪モータが挙げられる。駆動部６７００は、上述した駆動部６７０の機能を実現する。
【０１３１】
カメラ６８００は、自走式掃除機６００の周辺を撮影する装置である。カメラ６８００は、上述したカメラ６８０の機能を実現する。
【０１３２】
（管理者端末２０）
図７は、本発明の実施形態１における管理者端末２０の要部構成を示すブロック図である。管理者端末２０について、図７を用いて説明する。
【０１３３】
管理者端末２０は、図７に示すように、管理者端末通信部２１０、管理者端末制御部２２０、表示部２４０、および操作部２５０を備えている。
【０１３４】
管理者端末通信部２１０は、遠隔管理装置１０および電気機器３０と情報を送受信することができる機能を備えている。
【０１３５】
表示部２４０は、管理者端末制御部２２０から出力される画像信号が示す画像を出力する機能を備えている。
【０１３６】
操作部２５０は、ユーザからの操作を受け付け、受け付けた操作を示す操作情報を出力する機能を備えている。
【０１３７】
管理者端末制御部２２０は、管理者端末２０の各構成を統括的に制御するものである。管理者端末制御部２２０の詳細について、以下に説明する。
【０１３８】
（管理者端末制御部２２０）
管理者端末制御部２２０は、図７に示すように、情報取得部２２１、操作受付部２２２、および情報出力部２２３としても機能する。
【０１３９】
情報取得部２２１は、管理者端末通信部２１０を制御し、管理者端末通信部２１０が受信した情報を取得する。
【０１４０】
操作受付部２２２は、操作部２５０から出力された操作情報を取得する。
【０１４１】
情報出力部２２３は、管理者端末通信部２１０を制御し、遠隔管理装置１０または電気機器３０に情報を出力する。
【０１４２】
（遠隔管理システム１の処理の流れ）
図８は、本発明の実施形態１に係る遠隔管理システム１の処理の流れを示すシーケンス図である。遠隔管理システム１の処理（遠隔管理方法）の流れについて、図８を用いて説明する。なお、図８の処理は、遠隔管理システム１が仕事モードの場合に実行される処理である。
【０１４３】
（ステップＳ１）
まず、テレビ３００は、テレビ３００の動作状態を示す動作情報を取得する。テレビ３００が動作情報を取得する例として、操作受付部３２３が操作情報を取得する場合が挙げられる。この場合、操作受付部３２３は、取得した操作情報を動作情報として、情報出力部３２６に出力する。また、テレビ３００が動作情報を取得する別の例として、センサ情報取得部３２４がセンサ情報を取得する場合などが挙げられる。この場合、センサ情報取得部３２４は、取得したセンサ情報を動作情報として、情報出力部３２６に出力する。
【０１４４】
（ステップＳ２）
情報出力部３２６は、取得した動作情報を、テレビ通信部３１０を介して遠隔管理装置１０に出力する。
【０１４５】
（ステップＳ３）
遠隔管理装置１０の情報取得部１２２は、遠隔管理装置通信部１１０を介して動作情報を取得する（動作情報取得工程）。情報取得部１２２は、取得した動作情報を、管理部１２３に出力する。
【０１４６】
（ステップＳ４）
管理部１２３は、取得した動作情報を参照し、プレゼンス情報を更新する（管理工程）。まず、管理部１２３がテーブル形式でプレゼンス情報を管理する場合、管理部１２３が管理する管理テーブルの例を、図９に示す。
【０１４７】
図９は、本発明の実施形態１における管理テーブルの例である。管理テーブルは、図９に示すように、項目「ユーザＩＤ」、項目「ユーザ名」、項目「モード」、項目「プレゼンス情報」、項目「居場所」を含んでいる。
【０１４８】
項目「ユーザＩＤ」は、テレワーカーであるユーザを特定するための情報である。遠隔管理装置１０がユーザＩＤを取得する方法として、例えば、電気機器３０が動作情報を出力すると共にユーザＩＤを出力することにより、遠隔管理装置１０がユーザＩＤを取得する方法が挙げられる。他の例として、遠隔管理装置１０が電気機器３０を特定する電気機器ＩＤとユーザＩＤとを予め関連付けて記憶しておき、電気機器３０が動作情報を出力すると共に電気機器ＩＤを出力し、遠隔管理装置１０が電気機器ＩＤを取得する。そして、遠隔管理装置１０は、取得した電気機器ＩＤに関連付けられたユーザＩＤを取得する方法であってもよい。
【０１４９】
項目「ユーザ名」は、ユーザＩＤによって特定されるテレワーカーの名前を示す情報である。
【０１５０】
項目「モード」は、ユーザＩＤによって特定されるテレワーカーが設定している動作モードを示す情報である。
【０１５１】
項目「プレゼンス情報」は、ユーザＩＤによって特定されるテレワーカーが仕事をしているか否かを示す情報である。本明細書では、「プレゼンス情報」は、テレワーカーが勤務時間外であることを示す「−（ＮＵＬＬ）」、仕事中であることを示す「仕事中」、休憩中であることを示す「休憩中」、および休憩中の状態が所定の時間以上続いた場合を示す「長期休憩中」の何れかが設定される。
【０１５２】
項目「居場所」は、ユーザＩＤによって特定されるテレワーカーがいる場所を示す情報である。
【０１５３】
なお、管理テーブルに含まれる項目は、少なくとも項目「プレゼンス情報」を含んでいればよく、上述した項目に限定されない。
【０１５４】
続いて、管理部１２３がプレゼンス情報を更新する処理について、例を挙げて説明する。
【０１５５】
例えば、図９におけるユーザＩＤが「１」のテレワーカーのテレビ３００から取得した動作情報が、テレビ３００の電源をＯＮしたことを示す動作情報であった場合、仕事中だったテレワーカーがテレビ３００の電源をＯＮしたので、管理部１２３は、項目「ユーザＩＤ」が「１」に関連付けられているプレゼンス情報を「休憩中」に更新する。さらに、管理部１２３は、項目「ユーザＩＤ」が「１」に関連付けられている項目「居場所」を、テレビ３００が設置してある場所に更新する。
【０１５６】
他の例として、図９におけるユーザＩＤが「１」のテレワーカーのテレビ３００から取得した動作情報が、テレビ３００の前に人がいることを示す動作情報であった場合、仕事中だったテレワーカーがテレビ３００の前に移動したので、管理部１２３は、項目「ユーザＩＤ」が「１」に関連付けられているプレゼンス情報を「休憩中」に更新する。さらに、管理部１２３は、項目「ユーザＩＤ」が「１」に関連付けられている項目「居場所」を、テレビ３００が設置してある場所に更新する。
【０１５７】
さらに他の例として、図９におけるユーザＩＤが「２」のテレワーカーの冷蔵庫から取得した動作情報が、冷蔵庫の前に人がいることを示す動作情報であり、かつ、プレゼンス情報「休憩中」が所定の時間（例えば１０分）以上続いた場合、テレワーカーは冷蔵庫の前で長い時間休憩しているので、管理部１２３は、項目「ユーザＩＤ」が「２」に関連付けられているプレゼンス情報を「長期休憩中」に更新する。
【０１５８】
さらに他の例として、図９におけるユーザＩＤが「３」のテレワーカーの自走式掃除機から取得した動作情報が、デスクの前に人がいることを示す動作情報であった場合、長期休憩中だったテレワーカーがデスクの前に移動したので、管理部１２３は、項目「ユーザＩＤ」が「３」に関連付けられているプレゼンス情報を「仕事中」に更新する。さらに、管理部１２３は、項目「ユーザＩＤ」が「３」に関連付けられている項目「居場所」を、「デスク」に更新する。
【０１５９】
（ステップＳ５）
管理部１２３は、プレゼンス情報が「長期休憩中」であるか否かを判定する。
【０１６０】
ステップＳ５において、プレゼンス情報が「長期休憩中」ではないと判定された場合（ステップＳ５：ＮＯ）、遠隔管理装置１０は動作情報を取得するため、ステップＳ３の処理に戻る。
【０１６１】
（ステップＳ６）
一方、ステップＳ５において、プレゼンス情報が「長期休憩中」であると判定された場合（ステップＳ５：ＹＥＳ）、管理部１２３は、テレワーカーのプレゼンス情報が「長期休憩中」であることを示す情報と、当該テレワーカーを示すユーザＩＤとを、動作指示情報生成部１２４に出力する。動作指示情報生成部１２４は、テレワーカーのプレゼンス情報が「長期休憩中」であることを示す情報と、当該テレワーカーを示すユーザＩＤとを取得すると、当該テレワーカーの電気機器３０に動作させる指示を示す動作指示情報を生成する。動作指示情報生成部１２４が生成する動作指示情報の例として、自走式掃除機６００に動く動作をさせる指示を示す動作指示情報が挙げられる。
【０１６２】
また、動作指示情報生成部１２４は、当該テレワーカーを示すユーザＩＤに関連付けられた項目「居場所」に格納されている情報をさらに取得し、取得した情報が示す場所に設置された電気機器３０を動作させる指示を示す動作指示情報を生成する構成であってもよい。例えば、取得した「居場所」に格納されている情報が「居間」であった場合、動作指示情報生成部１２４は、居間に設置されたテレビ３００を動作させる指示（例えば、テレビ３００に画像を表示する、テレビ３００から音を出力するなど）を示す動作指示情報を生成する構成であってもよい。
【０１６３】
（ステップＳ７）
続いて、動作指示情報生成部１２４は、プレゼンス情報を参照して生成した動作指示情報を情報出力部１２５に出力する。情報出力部１２５は、動作指示情報を、遠隔管理装置通信部１１０を介して、第３の電気機器である自走式掃除機６００に出力する。
【０１６４】
（ステップＳ８）
自走式掃除機６００の情報取得部６２１は、自走式掃除機通信部６１０を介して動作指示情報を取得する。情報取得部６２１は、取得した動作指示情報を、処理実行部６２２に出力する。
【０１６５】
（ステップＳ９）
処理実行部６２２は、取得した動作指示情報が示す動作を実行する。ここで、自走式掃除機６００が動作をする様子を、図１０を用いて説明する。図１０は、本発明の実施形態１における自走式掃除機６００が動作をする様子を示す図であり、（ａ）は、自走式掃除機６００が音声を出力する様子を示す図であり、（ｂ）は、自走式掃除機６００が発光する様子を示す図であり、（ｃ）は、自走式掃除機６００が動く様子を示す図であり、（ｄ）は、自走式掃除機６００が周辺を撮影する様子を示す図である。
【０１６６】
例えば、処理実行部６２２が取得した動作指示情報が、自走式掃除機６００から人工音声「大丈夫ですか？」を出力させる指示を示す場合、処理実行部６２２は、「大丈夫ですか？」を示す音声信号を音声出力部６３０に出力する。音声出力部６３０は、図１０の（ａ）に示すように、人工音声「大丈夫ですか？」を出力する。
【０１６７】
また、例えば、処理実行部６２２が取得した動作指示情報が発光部６４０を発光させる指示を示す場合、処理実行部６２２は、発光部６４０を発光させる発光信号を発光部６４０に出力する。発光部６４０は、図１０の（ｂ）に示すように、発光信号が示すように発光する。
【０１６８】
また、例えば、処理実行部６２２が取得した動作指示情報が自走式掃除機６００を動かす指示を示す場合、処理実行部６２２は、自走式掃除機６００を動かす駆動信号を駆動部６７０に出力する。駆動部６７０は、図１０の（ｃ）に示すように、自走式掃除機６００が動くように駆動する。
【０１６９】
また、例えば、処理実行部６２２が取得した動作指示情報が自走式掃除機６００（自機）の周辺の状況を示す周辺状況情報を取得する動作を示す場合、処理実行部６２２は、自走式掃除機６００の周辺を撮影することを示す指示信号をカメラ６８０に出力する。カメラ６８０は、図１０の（ｄ）に示すように、自走式掃除機６００の周辺を撮影し、撮影した画像を示す画像情報を、処理実行部６２２に出力する。なお、例えば、処理実行部６２２が取得した動作指示情報が自走式掃除機６００の周辺の状況を示す周辺状況情報を取得する動作を示す場合、処理実行部６２２は、センサ部６６０から周辺の状況を示すセンサ情報（例えば、温度、湿度など）を取得するようにセンサ情報取得部６２４を制御する構成であってもよい。
【０１７０】
（ステップＳ１０）
処理実行部６２２は、取得した動作指示情報が示す動作を実行すると、指示を実行したことを示す指示実行情報を、情報出力部６２６に出力する。なお、指示実行情報には、指示された動作（例えば、音声を出力した、発光したなど）を示す情報が含まれている構成であってもよい。情報出力部６２６は、取得した指示実行情報を、自走式掃除機通信部６１０を介して遠隔管理装置１０に出力する。なお、処理実行部６２２は、ステップＳ９において取得した動作指示情報が自走式掃除機６００の周辺を撮影させる指示を示す場合、取得した画像情報を、指示実行情報とともに情報出力部６２６に出力する構成であってもよい。
【０１７１】
（ステップＳ１１）
遠隔管理装置１０の情報取得部１２２は、遠隔管理装置通信部１１０を介して、指示実行情報を取得する。情報取得部１２２は、取得した指示実行情報を管理部１２３に出力する。管理部１２３は、取得した指示実行情報を情報出力部１２５に出力する。なお、管理部１２３は、取得した指示実行情報を、当該指示実行情報を出力した電気機器３０のユーザに関連付けて管理してもよい。
【０１７２】
（ステップＳ１２）
情報出力部１２５は、取得した指示実行情報を、遠隔管理装置通信部１１０を介して管理者端末２０に出力する。
【０１７３】
（ステップＳ１３）
管理者端末２０の情報取得部２２１は、管理者端末通信部２１０を介して、指示実行情報を取得する。情報取得部２２１は、指示実行情報を取得すると、指示実行情報が示す指示を実行したことを、表示部２４０を介して管理者端末２０のユーザに報知する。
【０１７４】
なお、ステップＳ１０において、自走式掃除機６００の情報出力部６２６は、指示実行情報を、遠隔管理装置１０に出力するとともに、管理者端末２０に出力する構成であってもよいし、遠隔管理装置１０に替えて管理者端末２０に出力する構成であってもよい。
【０１７５】
このように、遠隔管理装置１０は、第１の電気機器から取得する動作情報を参照することによってテレワーカーがいる場所を特定することができ、テレワーカーがいる場所に応じてプレゼンス情報を更新する。この構成により、当該テレワーカー以外の従業員は、プレゼンス情報が「仕事中」の場合、テレワーカーは仕事をする場所にいるため仕事中であることを把握でき、プレゼンス情報が「休憩中」の場合、テレワーカーは仕事をする場所以外にいるため仕事中ではないことを把握できる。
【０１７６】
また、例えば、当該テレワーカー以外の従業員が緊急性の低いメッセージを当該テレワーカーに報知したい場合、当該テレワーカーの仕事の邪魔にならないよう、当該テレワーカーのプレゼンス情報が仕事中ではないことを示している期間に、メッセージを当該テレワーカーに報知することができる。報知する方法の例として、当該テレワーカー以外の従業員は、管理者端末２０を介して、メッセージの内容を示す報知内容情報を電気機器３０に出力し、電気機器３０が報知する構成が挙げられる。さらに、管理者端末２０が報知内容情報を出力する電気機器３０は、上記管理テーブルの項目「居場所」に配置されている電気機器であってもよい。このように、遠隔管理システム１は、テレワーカーと当該テレワーカー以外の従業員とが気軽にコミュニケーションを図ることを可能にしている。
【０１７７】
また、当該テレワーカーの仕事の邪魔にならないよう、プレゼンス情報が仕事中であることを示している期間は、管理者端末２０は報知内容情報を出力できない構成であってもよい。または、電気機器３０は、プレゼンス情報が仕事中であることを示している期間は、報知内容情報を取得できない構成であってもよい。
【０１７８】
また、遠隔管理装置１０は、テレワーカーのプレゼンス情報に応じて、第３の電気機器を動作させる。したがって、遠隔管理システム１は、当該テレワーカーに対して、設定されているプレゼンス情報を知らせることができる。
【０１７９】
また、第３の電気機器は、動作したことを示す指示実行情報を、管理者端末２０に出力する。したがって、遠隔管理システム１は、管理者端末２０を介して、当該テレワーカー以外の従業員に、当該テレワーカーのプレゼンス情報を知らせることができる。
【０１８０】
また、遠隔管理システム１では、遠隔管理装置１０は、指示実行情報に加えて、電気機器３０の周辺状況を示す周辺状況情報を取得する。したがって、遠隔管理システム１では、テレワーカーの状況をより詳しく把握することができる。
【０１８１】
〔実施形態２〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【０１８２】
実施形態１では、第１の電気機器であるテレビ３００から動作情報を取得する場合について説明したが、本実施形態では、第２の電気機器であるエアコン４００および照明５００から動作情報を取得する場合について、図１１を用いて説明する。図１１は、本発明の実施形態２に係る遠隔管理システム１の処理の流れを示すシーケンス図である。なお、実施形態１における遠隔管理システム１の処理と同様、図１１の処理は、遠隔管理システム１が仕事モードの場合に実行される処理である。
【０１８３】
（ステップＳ２１）
まず、エアコン４００は、エアコン４００の動作状態を示す動作情報を取得する。エアコン４００が取得する動作情報の例として、エアコン４００の電源がＯＮであることを示す動作情報が挙げられる。この場合、処理実行部４２２は、エアコン４００の電源がＯＮであることを示す動作情報を、情報出力部４２６に出力する。
【０１８４】
（ステップＳ２２）
情報出力部４２６は、取得した動作情報を、エアコン通信部４１０を介して遠隔管理装置１０に出力する。
【０１８５】
（ステップＳ２３）
遠隔管理装置１０の情報取得部１２２は、遠隔管理装置通信部１１０を介して動作情報を取得する。情報取得部１２２は、取得した動作情報を、管理部１２３に出力する。
【０１８６】
（ステップＳ２４）
管理部１２３は、取得した動作情報を参照し、プレゼンス情報を更新する。ここで、管理部１２３がエアコンの電源がＯＮであることを示す動作情報を取得しても、当該動作情報からはテレワーカーの居場所が特定できないため、プレゼンス情報は更新しない。
【０１８７】
（ステップＳ２５）
続いて、照明５００は、照明５００の動作状態を示す動作情報を取得する。照明５００が取得する動作情報の例として、照明５００の電源がＯＮであることを示す動作情報が挙げられる。この場合、処理実行部５２２は、照明５００の電源がＯＮであることを示す動作情報を、情報出力部５２６に出力する。
【０１８８】
（ステップＳ２６）
情報出力部５２６は、取得した動作情報を、照明通信部５１０を介して遠隔管理装置１０に出力する。
【０１８９】
（ステップＳ２７）
遠隔管理装置１０の情報取得部１２２は、遠隔管理装置通信部１１０を介して動作情報を取得する。情報取得部１２２は、取得した動作情報を、管理部１２３に出力する。
【０１９０】
（ステップＳ２８）
管理部１２３は、取得した動作情報を参照し、プレゼンス情報を更新する。上述したステップＳ２４では、管理部１２３はプレゼンス情報を更新できなかったが、ステップＳ２３において取得した動作情報に加えて、ステップＳ２７において取得した動作情報を参照することにより、管理部１２３は、プレゼンス情報を更新することができる。具体的には、ステップＳ２３において取得したエアコン４００の電源がＯＮであることを示す動作情報と、ステップＳ２７において取得した照明５００の電源がＯＮであることを示す動作情報とを参照することにより、テレワーカーはエアコン４００および照明５００が設置されている部屋にいることを特定することができる。したがって、管理部１２３は、プレゼンス情報を「休憩中」に更新する。
【０１９１】
ステップＳ２８の処理の後、プレゼンス情報が「長期休憩中」であるか否かを管理部１２３が判定するステップＳ５以降の処理は、前述した処理と同じため、説明を省略する。
【０１９２】
このように、本実施形態に係る遠隔管理システム１では、遠隔管理装置１０は、複数の第２の電気機器のそれぞれから取得した動作情報のうち、少なくとも２つの第２の電気機器から取得した動作情報を参照し、プレゼンス情報を管理する。したがって、遠隔管理システム１は、テレワーカーがＰＣの前にいるかいないかに関わらず、テレワーカーの状況を把握できる。
【０１９３】
〔実施形態３〕
遠隔管理装置１０および自走式掃除機６００の制御ブロック（特に遠隔管理装置制御部１２０および自走式掃除機制御部６２０）は、集積回路（ＩＣチップ）等に形成された論理回路（ハードウェア）によって実現してもよいし、ＣＰＵ（Central Processing Unit）を用いてソフトウェアによって実現してもよい。
【０１９４】
後者の場合、遠隔管理装置１０および自走式掃除機６００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１９５】
〔まとめ〕
本発明の態様１に係る遠隔管理装置（１０）は、電気機器（３０）から、当該電気機器の動作状態を示す動作情報を取得する動作情報取得手段（情報取得部１２２）と、上記動作情報取得手段が取得した動作情報を参照し、ユーザが仕事中であるか否かを示すプレゼンス情報を管理する管理手段（管理部１２３）と、を備える。
【０１９６】
上記の構成によれば、遠隔管理装置は、電気機器から取得した動作情報を参照し、ユーザ（テレワーカー）がいる場所を特定する。そして、遠隔管理装置は、ユーザが仕事をする場所にいるときは、ユーザが仕事中であることを示すプレゼンス情報を設定し、ユーザが仕事をする場所にいないときは、ユーザが仕事中ではないことを示すプレゼンス情報を設定する。したがって、遠隔管理装置は、ユーザがＰＣの前にいるかいないかに関わらず、ユーザの状況を把握できる。
【０１９７】
本発明の態様２に係る遠隔管理装置は、上記態様１において、上記動作情報取得手段が動作情報を取得する仕事モードと、上記動作情報取得手段が動作情報を取得しないプライベートモードとを有してもよい。
【０１９８】
上記の構成によれば、遠隔管理装置は、プライベートモードのときは動作情報を取得しない。したがって、遠隔管理装置は、ユーザのプライバシーを守ることができる。
【０１９９】
本発明の態様３に係る遠隔管理装置は、上記態様１または２において、上記プレゼンス情報を参照し、上記電気機器または他の電気機器を動作させる指示を示す動作指示情報を生成する動作指示情報生成手段と、上記動作指示情報生成手段が生成した動作指示情報を出力する動作指示情報出力手段と、を備えてもよい。
【０２００】
上記の構成によれば、遠隔管理装置は、プレゼンス情報に応じて、電気機器を動作させる。したがって、遠隔管理装置は、ユーザに対して、何れのプレゼンス情報が設定されているのかを知らせることができる。
【０２０１】
本発明の態様４に係る遠隔管理方法は、電気機器（３０）から、当該電気機器の動作状態を示す動作情報を取得する動作情報取得工程と、上記動作情報取得工程において取得した動作情報を参照し、ユーザが仕事中であるか否かを示すプレゼンス情報を管理する管理工程と、を含む。
【０２０２】
上記の構成によれば、遠隔管理方法は、上記態様１と同様の効果を奏する。
【０２０３】
本発明の態様５に係る制御プログラムは、遠隔管理装置（１０）としてコンピュータを機能させるための制御プログラムであって、上記コンピュータを、電気機器から、当該電気機器の動作状態を示す動作情報を取得する動作情報取得手段（動作情報取得部１２２）と、上記動作情報取得手段が取得した動作情報を参照し、ユーザが仕事中であるか否かを示すプレゼンス情報を管理する管理手段（管理部１２３）と、として機能させる。
【０２０４】
上記の構成によれば、制御プログラムは、上記態様１と同様の効果を奏する。
【０２０５】
本発明の態様６に係る電気機器（３０）は、ユーザが仕事中であるか否かを示すプレゼンス情報であって、電気機器の動作状態を示す動作情報を参照して生成されるプレゼンス情報を参照して生成される動作指示情報を取得する動作指示情報取得手段（情報取得部３２１、４２１、５２１、６２１）と、上記動作指示情報取得手段が取得した動作指示情報が示す指示を実行する指示実行手段（処理実行部３２２、４２２、５２２、６２２）と、を備える。
【０２０６】
上記の構成によれば、電気機器は、上記態様３と同様の効果を奏する。
【０２０７】
本発明の態様７に係る電気機器は、上記態様６において、上記指示実行手段が上記動作指示情報が示す指示を実行したことを示す指示実行情報を出力する指示実行情報出力手段（情報出力部３２６、４２６、５２６、６２６）を備えてもよい。
【０２０８】
上記の構成によれば、電気機器は、動作指示を実行したことを示す指示実行情報を出力する。したがって、電気機器は、プレゼンス情報を参照して生成された動作指示を実行したことを、他のユーザ（テレワーカー以外の従業員）に知らせることができる。
【０２０９】
本発明の態様８に係る電気機器は、上記態様６または７において、上記動作指示情報が自機の周辺の状況を示す周辺状況情報を取得する動作を示す場合、上記指示実行手段は、上記周辺状況情報を取得してもよい。
【０２１０】
上記の構成によれば、電気機器は、プレゼンス情報に加えて、自機の周辺を撮影した画像や周辺の音などを、他のユーザに知らせることができる。
【０２１１】
本発明の態様９に係る電気機器は、上記態様６〜８において、上記ユーザに報知する内容を示す報知内容情報を取得する報知内容取得手段（情報取得部３２１、４２１、５２１、６２１）と、上記報知内容取得手段が取得した報知内容情報が示す報知内容を報知する報知手段（処理実行部３２２、４２２、５２２、６２２）と、を備えてもよい。
【０２１２】
上記の構成によれば、電気機器は、報知内容情報を取得し、当該報知内容情報が示す報知内容を報知する。したがって、電気機器は、電気機器が設置されているユーザと他のユーザとのインターフェースとしても機能する。
【０２１３】
本発明の態様１０に係る制御プログラムは、電気機器（３０）としてコンピュータを機能させるための制御プログラムであって、上記コンピュータを、ユーザが仕事中であるか否かを示すプレゼンス情報であって、電気機器の動作状態を示す動作情報を参照して生成されるプレゼンス情報を参照して生成される動作指示情報を取得する動作指示情報取得手段（情報取得部３２１、４２１、５２１、６２１）と、上記動作指示情報取得手段が取得した動作指示情報が示す指示を実行する指示実行手段（処理実行部３２２、４２２、５２２、６２２）と、上記指示実行手段が上記動作指示情報が示す指示を実行したことを示す指示実行情報を出力する指示実行情報出力手段（情報出力部３２６、４２６、５２６、６２６）と、として機能させる。
【０２１４】
上記の構成によれば、制御プログラムは、上記態様７と同様の効果を奏する。
【０２１５】
本発明の態様１１に係る遠隔管理システム（１）は、第１の電気機器（テレビ３００）と遠隔管理装置（１０）とを備える遠隔管理システムであって、上記第１の電気機器は、当該第１の電気機器の動作状態を示す第１の動作情報を出力する第１の動作情報出力手段（情報出力部３２６）を備え、上記遠隔管理装置は、上記第１の電気機器から、上記第１の動作情報を取得する第１の動作情報取得手段（情報取得部１２２）と、上記第１の動作情報取得手段が取得した第１の動作情報を参照し、ユーザが仕事中であるか否かを示すプレゼンス情報を管理する管理手段（管理部１２３）と、を備える。
【０２１６】
上記の構成によれば、遠隔管理システムは、上記態様１と同様の効果を奏する。
【０２１７】
本発明の態様１２に係る遠隔管理システムは、上記態様１１において、上記遠隔管理システムは、複数の第２の電気機器（エアコン４００、照明５００）をさらに備え、上記第２の電気機器は、当該第２の電気機器の動作を示す動作情報を出力する第２の動作情報出力手段（情報出力部４２６、５２６）を備え、上記遠隔管理装置は、上記複数の第２の電気機器のそれぞれから上記動作情報を取得する第２の動作情報取得手段（情報取得部１２２）をさらに備え、上記管理手段は、上記第２の動作情報取得手段が取得した第２の動作情報のうち、少なくとも２つの第２の電気機器から取得した動作情報を参照し、上記プレゼンス情報を管理してもよい。
【０２１８】
上記の構成によれば、遠隔管理システムでは、遠隔管理装置は、単体ではユーザの場所を特定できない複数の第２の電気機器のそれぞれから取得した動作情報を参照し、プレゼンス情報を管理する。したがって、遠隔管理システムは、上記態様１と同様の効果を奏する。
【０２１９】
本発明の態様１３に係る遠隔管理システムは、上記態様１１または１２において、上記遠隔管理システムは、第３の電気機器（自走式掃除機６００）をさらに備え、上記遠隔管理装置は、上記プレゼンス情報を参照し、上記第３の電気機器に対する動作の指示を示す動作指示情報を生成する動作指示情報生成手段（動作指示情報生成部１２４）と、上記動作指示情報生成手段が生成した動作指示情報を出力する動作指示情報出力手段（情報出力部１２５）と、をさらに備え、上記第３の電気機器は、上記遠隔管理装置から上記動作指示情報を取得する動作指示情報取得手段（情報取得部６２１）と、上記動作指示情報取得手段が取得した動作指示情報が示す動作を実行する指示実行手段（処理実行部６２２）と、を備えてもよい。
【０２２０】
上記の構成によれば、遠隔管理システムは、上記態様３と同様の効果を奏する。
【０２２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２２】
本発明は、離れた場所で仕事をするテレワーカーを管理するシステムに利用することができる。
【符号の説明】
【０２２３】
１  遠隔管理システム
１０  遠隔管理装置
１１０  遠隔管理装置通信部
１２０  遠隔管理装置制御部
１２１  モード切替部
１２２  情報取得部（動作情報取得手段、第１の動作情報取得手段、第２の動作情報取得手段）
１２３  管理部（管理手段）
１２４  動作指示情報生成部（動作指示情報生成手段）
１２５  情報出力部（動作指示情報出力手段）
２０  管理者端末
３０  電気機器
３００  テレビ（第１の電気機器）
３１０  テレビ通信部
３２０  テレビ制御部
３２１  情報取得部（動作指示情報取得手段、報知内容取得手段）
３２２  処理実行部（指示実行手段、報知手段）
３２３  操作受付部
３２４  センサ情報取得部
３２５  モード切替部
３２６  情報出力部（指示実行情報出力手段、第１の動作情報出力手段）
３３０  音声出力部
３４０  表示部
３５０  操作部
３６０  センサ部
４００  エアコン（第２の電気機器）
４１０  エアコン通信部
４２０  エアコン制御部
４２１  情報取得部（動作指示情報取得手段、報知内容取得手段）
４２２  処理実行部（指示実行手段、報知手段）
４２３  操作受付部
４２４  センサ情報取得部
４２５  モード切替部
４２６  情報出力部（指示実行情報出力手段、第２の動作情報出力手段）
４３０  音声出力部
４５０  操作部
４６０  センサ部
５００  照明（第２の電気機器）
５１０  照明通信部
５２０  照明制御部
５２１  情報取得部（動作指示情報取得手段、報知内容取得手段）
５２２  処理実行部（指示実行手段、報知手段）
５２３  操作受付部
５２５  モード切替部
５２６  情報出力部（指示実行情報出力手段、第２の動作情報出力手段）
５４０  発光部
５５０  操作部
６００  自走式掃除機（第３の電気機器）
６１０  自走式掃除機通信部
６２０  自走式掃除機制御部
６２１  情報取得部（動作指示情報取得手段、報知内容取得手段）
６２２  処理実行部（指示実行手段、報知手段）
６２３  操作受付部
６２４  センサ情報取得部
６２５  モード切替部
６２６  情報出力部（指示実行情報出力手段）
６３０  音声出力部
６４０  発光部
６５０  操作部
６６０  センサ部
６７０  駆動部
６８０  カメラ
【図１】
2016001385.tif 000003
【図２】
2016001385.tif 000004
【図３】
2016001385.tif 000005
【図４】
2016001385.tif 000006
【図５】
2016001385.tif 000007
【図６】
2016001385.tif 000008
【図７】
2016001385.tif 000009
【図８】
2016001385.tif 000010
【図９】
2016001385.tif 000011
【図１０】
2016001385.tif 000012
【図１１】
2016001385.tif 000013